(57)【要約】【課題】クラブヘッドに対してヘッドカバーの装着及び取外しを容易に行うことが出来ると共に、装着時にはクラブヘッド及びシャフトの一部に対して確実にフィットし、キャディーバッグの輸送時や移動時にクラブヘッドやシャフトの損傷を有効に防止出来るゴルフクラブのヘッドカバーを提供する。【解決手段】クラブヘッドのソール部２及びサイド部３側を覆う素材６は、スポンジ等のクッション性を有する裏地を備えた素材と人工皮革等の滑り性を有する素材とを貼合わせて構成され、またクラブヘッドのクラウン部４を覆う素材は、ニット編み物等の伸縮性素材７により構成され、更にシャフトの一部５を覆う素材もニット編み物等の伸縮性素材７ａにより構成するものである。上記の各素材６，７，７ａの連結部８ａ，８ｂ，８ｃは、縫製等により接続されて一体的に構成されるものである。【選択図】　図１
2004000677.tif 000002
【特許請求の範囲】
【請求項１】
クラブヘッドとこのクラブヘッドに連結するシャフトの一部とを覆う素材を、少なくとも二種類以上の素材により構成して成るゴルフクラブのヘッドカバーであって、前記クラブヘッドのクラウン部を覆う素材を伸縮性素材により構成して成るゴルフクラブのヘッドカバー。
【請求項２】
前記クラウン部を覆う素材を、シャフトの一部を覆う位置まで連続的に形成した請求項１に記載のゴルフクラブのヘッドカバー。
【請求項３】
前記クラウン部を覆う伸縮性素材として、ニット編み物を使用する請求項１または２に記載のゴルフクラブのヘッドカバー。
【発明の詳細な説明】
【０００１】
【発明の属する技術分野】
この発明は、ゴルフクラブのヘッドカバーに係わり、更に詳しくはクラブヘッド及びシャフトの一部を保護すると共に、クラブヘッドへの装着及び取外しを容易に行うことが出来るゴルフクラブのヘッドカバーに関するものである。
【０００２】
【従来の技術】
従来、複数本のゴルフクラブを収容したキャディーバッグを輸送する際や移動させる際に、主としてクラブヘッドが損傷するのを防止するためと、キャディーバッグのフード部が損傷するのを防止する目的から、クラブヘッドからシャフトの一部にかけてヘッドカバーを被せることが行われている。
【０００３】
このヘッドカバーの材料としては、小径のシャフトと、大径のクラブヘッドの全体を覆い、かつ隙間無く装着させるために、ニット系の伸縮素材により構成したものや、クラブヘッドの部分を主として保護するために、スポンジ等のクッション素材と人工皮革とを貼合わせた素材により筒状に形成したものが使用されている。
【０００４】
更に、最近ではヘッド部分とシャフト部分とを別の素材で複合させた物や、シャフト部分を紐状部材で締め付ける物、更にクラブヘッド側にファスナーを設けてグリップ側から出し入れする物等が市販されている。
【０００５】
【発明が解決しようとする課題】
ところで、最近市販されている３００ｃｃを超えるラージヘッドで、４６インチ以上の長尺ゴルフクラブでは、ヘッドカバーも必然的に大型になり、このようなゴルフクラブを収容したキャディーバッグでは、フード部内が極めて窮屈な状態となっており、ゴルフクラブの出し入れが非常に不便になると言う問題があった。
【０００６】
また、ヘッドカバーの材料として、上述のようにニット系の伸縮素材により構成した場合、小径のシャフトと大径のクラブヘッドとに装着した際にはフィットし易いと言うメリットはあるが、反面ソール形状が複雑で、かつ大径のクラブヘッドの場合には、滑り性が悪い上に装着し難く、かつ切れたり破ける等の問題があった。
【０００７】
一方、スポンジ等のクッション素材と人工皮革とを貼合わせた素材により筒状に構成したものは、クラブヘッドの部分は密着するが、シャフト及びその連結部分等では無駄な空間部が大きく、キャディーバッグのフード部内を狭くする要因となっている。更に、構造が複雑になるとコストアップとなる問題があった。
【０００８】
この発明の目的は、クラブヘッドに対してヘッドカバーの装着及び取外しを容易に行うことが出来ると共に、装着時にはクラブヘッド及びシャフトの一部に対して確実にフィットし、キャディーバッグの輸送時や移動時にクラブヘッドやシャフトの損傷を有効に防止出来るゴルフクラブのヘッドカバーを提供することにある。
【０００９】
【課題を解決するための手段】
この発明は上記目的を達成するため、クラブヘッドとこのクラブヘッドに連結するシャフトの一部とを覆う素材を、少なくとも二種類以上の素材により構成して成るゴルフクラブのヘッドカバーであって、前記クラブヘッドのクラウン部を覆う素材を伸縮性素材により構成したことを要旨とするものである。
【００１０】
ここで、前記クラウン部を覆う素材を、シャフトの一部を覆う位置まで連続的に形成し、また前記クラウン部を覆う伸縮性素材として、ニット編み物を使用するものである。
【００１１】
このようにクラブヘッドのクラウン部を覆う素材を伸縮性素材により構成したことで、装着時にはクラブヘッド及びシャフトの一部に対して確実にフィットし、キャディーバッグの輸送時や移動時にクラブヘッドやシャフトの損傷を有効に防止出来るものである。
【００１２】
【発明の実施の形態】
以下、添付図面に基づき、この発明の実施形態を説明する。
【００１３】
図１は、この発明を実施したヘッドカバーの正面図、図２は図１の左側面図、図３は図１の背面図を示し、前記ヘッドカバー本体１は、クラブヘッドのソール部２及びサイド部３を覆う部分と、クラウン部４を覆う部分と、シャフトの一部５を覆う部分とで構成される。
【００１４】
前記クラブヘッドのソール部２及びサイド部３側を覆う素材６は、スポンジ等のクッション性を有する裏地を備えた素材と人工皮革等の滑り性を有する素材とを貼合わせて構成され、またクラブヘッドのクラウン部４を覆う素材は、ニット編み物等の伸縮性素材７により構成され、更にシャフトの一部５を覆う素材もニット編み物等の伸縮性素材７ａにより構成するものである。
【００１５】
上記の各素材６，７，７ａの連結部８ａ，８ｂ，８ｃは、図４及び図５に示すように、縫製等により接続されて一体的に構成されるものである。
【００１６】
なお、前記ソール部２及びサイド部３側を覆う素材６及びクラウン部４を覆う素材７を、シャフトの一部５を覆う位置まで連続的に形成することも可能であり、更に前記クラブヘッドのクラウン部４及びシャフトの一部５を覆う素材７，７ａを、２種類以上の伸縮性素材により構成することも可能である。
【００１７】
なお、クラブヘッドの損傷を有効に防止し、かつ必要以上に大きくならないために、ソール部２及びサイド部３側を覆う素材６の厚さとしては、４〜１０ｍｍが最適であり、またクラウン部４を覆う素材７の厚さとしては、２〜６ｍｍが最適である。
【００１８】
このように、この発明にかかるヘッドカバー本体１は、例えソール形状が複雑で、かつ大径のクラブヘッドであっても、クラブヘッドのクラウン部４に装着する部分の素材をニット編み物等の伸縮性素材７により構成し、しかもソール部２及びサイド部３側を覆う素材６は、クッション性と滑り性とを備えた素材により構成するので、クラブヘッドへの装着及び取外しも容易であり、また装着後は、クラブヘッド全体及びシャフトの一部に確実にフットするので、場所を取らずにキャディーバッグの輸送時や移動時にクラブヘッドやシャフトの損傷を有効に防止出来るものである。
【００１９】
【発明の効果】
この発明は上記のように、クラブヘッドとこのクラブヘッドに連結するシャフトの一部とを覆う素材を、少なくとも二種類以上の素材により構成して成るゴルフクラブのヘッドカバーであって、前記クラブヘッドのクラウン部を覆う素材を伸縮性素材により構成したので、クラブヘッドに対してヘッドカバーの装着及び取外しを容易に行うことが出来ると共に、装着時にはクラブヘッド及びシャフトの一部に対して確実にフィットし、キャディーバッグの輸送時や移動時にクラブヘッドやシャフトの損傷を有効に防止出来る効果がある。
【００２０】
また、構成が簡単であると共に、通常の素材を組合せて構成するので、安価に製作出来る効果がある。
【図面の簡単な説明】
【図１】この発明を実施したヘッドカバーの正面図である。
【図２】図１の左側面図である。
【図３】図１の背面図である。
【図４】図１のＡ−Ａ矢視断面図である。
【図５】図１のＢ−Ｂ矢視断面図である。
【符号の説明】
１　ヘッドカバー本体　　　　　　　２　ソール部
３　サイド部　　　　　　　　　　　４　クラウン部
５　シャフトの一部　　　　　　　　６　クッション性を有する素材
７，７ａ　伸縮性素材　　　　　　　　　　　　　８ａ，８ｂ，８ｃ　連結部
【図１】
2004000677.tif 000003
【図２】
2004000677.tif 000004
【図３】
2004000677.tif 000005
【図４】
2004000677.tif 000006
【図５】
2004000677.tif 000007